(57)【特許請求の範囲】
【請求項１】
第１の信号制御装置と第２の信号制御装置を備え、ネットワーク機器を介してユーザ端末から送信された信号を制御する通信システムにおいて、
前記第１の信号制御装置は、
収容中のユーザ端末から送信された信号を処理する処理手段と、
前記信号を通信制御するためのリソース情報を前記第２の信号制御装置に転送する転送手段と、
前記ユーザ端末から通信中の継続信号が送信された場合、前記第２の信号制御装置に送信する送信手段と、を有し、
前記第２の信号制御装置は、
前記第１の信号制御装置から転送されたリソース情報を受信する受信手段と、
前記通信中の継続信号を受信した場合、前記転送されたリソース情報を用いて処理する処理手段と、
を有することを特徴とする通信システム。
【請求項２】
前記第２の信号制御装置は、
前記第１の信号制御装置のアドレス情報を管理装置から受信する受信手段と、
前記ネットワーク機器に接続されているアドレス未割当のインタフェースに前記アドレス情報を割り当てる割当手段と、
前記第１の信号制御装置と同じ機能を持つ仮想信号制御装置を自装置内に生成し、前記インタフェースを割り当てる生成手段と、
前記アドレス情報への信号を前記インタフェースに送信することを前記ネットワーク機器に命令する命令手段と、を更に備え、
前記仮想信号制御装置は、
前記インタフェースを介して前記ユーザ端末から通信中の継続信号が送信された場合、前記第２の信号制御装置に送信することを特徴とする請求項１に記載の通信システム。
【請求項３】
第１の信号制御装置と第２の信号制御装置を備え、ネットワーク機器を介してユーザ端末から送信された信号を制御する通信方法において、
前記第１の信号制御装置は、
処理手段により、収容中のユーザ端末から送信された信号を処理する処理ステップと、
転送手段により、前記信号を通信制御するためのリソース情報を前記第２の信号制御装置に転送する転送ステップと、
送信手段により、前記ユーザ端末から通信中の継続信号が送信された場合、前記第２の信号制御装置に送信する送信ステップと、を有し、
前記第２の信号制御装置は、
受信手段により、前記第１の信号制御装置から転送されたリソース情報を受信する受信ステップと、
処理手段により、前記通信中の継続信号を受信した場合、前記転送されたリソース情報を用いて処理する処理ステップと、
を有することを特徴とする通信方法。
【請求項４】
前記第２の信号制御装置は、
受信手段により、前記第１の信号制御装置のアドレス情報を管理装置から受信する受信ステップと、
割当手段により、前記ネットワーク機器に接続されているアドレス未割当のインタフェースに前記アドレス情報を割り当てる割当ステップと、
生成手段により、前記第１の信号制御装置と同じ機能を持つ仮想信号制御装置を自装置内に生成し、前記インタフェースを割り当てる生成ステップと、
命令手段により、前記アドレス情報への信号を前記インタフェースに送信することを前記ネットワーク機器に命令する命令ステップと、を更に備え、
前記仮想信号制御装置は、
前記インタフェースを介して前記ユーザ端末から通信中の継続信号が送信された場合、前記第２の信号制御装置に送信することを特徴とする請求項３に記載の通信方法。
【発明の詳細な説明】
【技術分野】
【０００１】
本発明は、信号制御装置を介する通信システムにおいて、信号制御装置に帰属可能な端末の収容先変更や移行等の技術に関する。
【背景技術】
【０００２】
現在、呼処理サーバ等の信号制御装置を介して通信を行う通信システムが存在する。その通信システムのネットワーク構成例を図１３に示す。この通信システムは、各ユーザ端末７ａ〜７ｄからの信号を制御する複数の信号制御装置１ａ，１ｂと、その信号を各信号制御装置１ａ，１ｂに送信するネットワーク機器３と、を備えて構成される。システム全体の高信頼性等の観点から、信号制御装置１を二重化する構成やＡＣＴ−ＳＢＹ構成が採用されている。
【０００３】
ここで信号制御装置１は、信号を制御する装置本来の機能以外に、信号制御装置に対するユーザ端末の帰属関係を管理する機能を備えている。例えば、信号制御装置１ａがユーザ端末７ａ，７ｂを収容し、「Ｘ．Ｘ．Ｘ．Ｘ」のＩＰアドレスのインタフェースを介して信号を受信する場合、図１３の信号制御装置＃１の内部に記載の帰属関係情報を保持する。
【０００４】
そして、特許文献１の段落０００２−０００６に記載の系切り替えや端末収容先切り替え等により、ユーザ端末７ａ，７ｂの収容先を信号制御装置１ｂに変更する場合、図１４に示すように、信号制御装置１ａは保持していた帰属関係情報を変更先の信号制御装置１ｂに送信する。そして信号制御装置１ｂは、自身の帰属関係情報に追加登録することによりユーザ端末７ａ，７ｂを新たに収容する。
【０００５】
一方、ユーザ端末７ａ，７ｂは、新たな収容先である信号制御装置１ｂと通信するため、接続先のＩＰアドレスを信号制御装置１ｂのＩＰアドレス「Ｙ．Ｙ．Ｙ．Ｙ」に変更する。若しくは、図１５に示すように、信号制御装置１ｂは、信号制御装置１ａのＩＰアドレスを信号制御装置管理装置５から受信し、ネットワーク機器３に接続されているアドレス未割当のインタフェース＃２に当該ＩＰアドレスを割り当て、当該ＩＰアドレスへの信号を当該インタフェース＃２に送信することをネットワーク機器３に命令（ＡＲＰテーブルのキャッシュ更新命令）する。
【先行技術文献】
【特許文献】
【０００６】
【特許文献１】特開２０１３−２１９７０７号公報
【発明の概要】
【発明が解決しようとする課題】
【０００７】
しかし、移行先の信号制御装置に通信中の記録が継承されていないため、通信中の信号や呼は切断されてしまう。例えば図１６に示すように、ユーザ端末７ａは、ユーザ端末７ｄと通信中に自身の収容先が信号制御装置１ｂに切り替えられた場合、その信号制御装置１ｂに対してＲｅ−ＩＮＶＩＴＥ等の継続信号を送信する。しかし信号制御装置１ｂは、ユーザ端末７ａとユーザ端末７ｄの間で行われている通信中の記録情報を保持していないため、ユーザ端末７ａにエラーを返信する。その結果、両端末間の通信中呼が切断される。
【０００８】
本発明は、上記事情を鑑みてなされたものであり、信号制御装置に対するユーザ端末の収容替え時における通信の切断を防止することを目的とする。
【課題を解決するための手段】
【０００９】
以上の課題を解決するため、請求項１に記載の通信システムは、第１の信号制御装置と第２の信号制御装置を備え、ネットワーク機器を介してユーザ端末から送信された信号を制御する通信システムにおいて、前記第１の信号制御装置は、収容中のユーザ端末から送信された信号を処理する処理手段と、前記信号を通信制御するためのリソース情報を前記第２の信号制御装置に転送する転送手段と、を有し、前記第２の信号制御装置は、前記第１の信号制御装置のアドレス情報を管理装置から受信する受信手段と、前記ネットワーク機器に接続されているアドレス未割当のインタフェースに前記アドレス情報を割り当てる割当手段と、前記第１の信号制御装置から転送されたリソース情報を受信する受信手段と、前記アドレス情報への信号を前記インタフェースに送信することを前記ネットワーク機器に命令する命令手段と、前記インタフェースを介して前記ユーザ端末から通信中の継続信号が送信された場合、前記転送されたリソース情報を用いて処理する処理手段と、を有することを要旨とする。
【００１０】
本発明によれば、第１の信号制御装置と第２の信号制御装置を備え、第１の信号制御装置は、収容中のユーザ端末から送信された信号を処理し、その信号を通信制御するためのリソース情報を第２の信号制御装置に転送する。一方、第２の信号制御装置は、第１の信号制御装置から転送されたリソース情報を受信し、前記ユーザ端末から通信中の継続信号が送信された場合、転送されたリソース情報を用いて処理する。これにより、信号制御装置に対するユーザ端末の収容替え時における通信の切断を防止できる。
【００１１】
請求項２に記載の通信システムは、第１の信号制御装置と第２の信号制御装置を備え、ネットワーク機器を介してユーザ端末から送信された信号を制御する通信システムにおいて、前記第１の信号制御装置は、収容中のユーザ端末から送信された信号を処理する処理手段と、前記信号を通信制御するためのリソース情報を前記第２の信号制御装置に転送する転送手段と、前記ユーザ端末から通信中の継続信号が送信された場合、前記第２の信号制御装置に送信する送信手段と、を有し、前記第２の信号制御装置は、前記第１の信号制御装置から転送されたリソース情報を受信する受信手段と、前記通信中の継続信号を受信した場合、前記転送されたリソース情報を用いて処理する処理手段と、を有することを要旨とする。
【００１２】
本発明によれば、第１の信号制御装置と第２の信号制御装置を備え、第１の信号制御装置は、収容中のユーザ端末から送信された信号を処理し、その信号を通信制御するためのリソース情報を第２の信号制御装置に転送し、前記ユーザ端末から通信中の継続信号が送信された場合は第２の信号制御装置に送信する。一方、第２の信号制御装置は、第１の信号制御装置から転送されたリソース情報を受信し、前記通信中の継続信号を受信した場合、転送されたリソース情報を用いて処理する。これにより、信号制御装置に対するユーザ端末の収容替え時における通信の切断を防止できる。
【００１３】
請求項３に記載の通信システムは、請求項２に記載の通信システムにおいて、前記第２の信号制御装置は、前記第１の信号制御装置のアドレス情報を管理装置から受信する受信手段と、前記ネットワーク機器に接続されているアドレス未割当のインタフェースに前記アドレス情報を割り当てる割当手段と、前記第１の信号制御装置と同じ機能を持つ仮想信号制御装置を自装置内に生成し、前記インタフェースを割り当てる生成手段と、前記アドレス情報への信号を前記インタフェースに送信することを前記ネットワーク機器に命令する命令手段と、を更に備え、前記仮想信号制御装置は、前記インタフェースを介して前記ユーザ端末から通信中の継続信号が送信された場合、前記第２の信号制御装置に送信することを要旨とする。
【００１４】
本発明によれば、第２の信号制御装置は、第１の信号制御装置と同じ機能を持つ仮想信号制御装置を自装置内に生成し、仮想信号制御装置は、前記ユーザ端末から通信中の継続信号が送信された場合、第２の信号制御装置に送信するため、信号制御装置に対するユーザ端末の収容替え時における通信の切断を防止できる。
【００１５】
請求項４に記載の通信方法は、第１の信号制御装置と第２の信号制御装置を備え、ネットワーク機器を介してユーザ端末から送信された信号を制御する通信方法において、前記第１の信号制御装置は、収容中のユーザ端末から送信された信号を処理する処理ステップと、前記信号を通信制御するためのリソース情報を前記第２の信号制御装置に転送する転送ステップと、を有し、前記第２の信号制御装置は、前記第１の信号制御装置のアドレス情報を管理装置から受信する受信ステップと、前記ネットワーク機器に接続されているアドレス未割当のインタフェースに前記アドレス情報を割り当てる割当ステップと、前記第１の信号制御装置から転送されたリソース情報を受信する受信ステップと、前記アドレス情報への信号を前記インタフェースに送信することを前記ネットワーク機器に命令する命令ステップと、前記インタフェースを介して前記ユーザ端末から通信中の継続信号が送信された場合、前記転送されたリソース情報を用いて処理する処理ステップと、を有することを要旨とする。
【００１６】
請求項５に記載の通信方法は、第１の信号制御装置と第２の信号制御装置を備え、ネットワーク機器を介してユーザ端末から送信された信号を制御する通信方法において、前記第１の信号制御装置は、処理手段により、収容中のユーザ端末から送信された信号を処理する処理ステップと、転送手段により、前記信号を通信制御するためのリソース情報を前記第２の信号制御装置に転送する転送ステップと、送信手段により、前記ユーザ端末から通信中の継続信号が送信された場合、前記第２の信号制御装置に送信する送信ステップと、を有し、前記第２の信号制御装置は、受信手段により、前記第１の信号制御装置から転送されたリソース情報を受信する受信ステップと、処理手段により、前記通信中の継続信号を受信した場合、前記転送されたリソース情報を用いて処理する処理ステップと、を有することを要旨とする。
【００１７】
請求項６に記載の通信方法は、請求項５に記載の通信方法において、前記第２の信号制御装置は、受信手段により、前記第１の信号制御装置のアドレス情報を管理装置から受信する受信ステップと、割当手段により、前記ネットワーク機器に接続されているアドレス未割当のインタフェースに前記アドレス情報を割り当てる割当ステップと、生成手段により、前記第１の信号制御装置と同じ機能を持つ仮想信号制御装置を自装置内に生成し、前記インタフェースを割り当てる生成ステップと、命令手段により、前記アドレス情報への信号を前記インタフェースに送信することを前記ネットワーク機器に命令する命令ステップと、を更に備え、前記仮想信号制御装置は、前記インタフェースを介して前記ユーザ端末から通信中の継続信号が送信された場合、前記第２の信号制御装置に送信することを要旨とする。
【発明の効果】
【００１８】
本発明によれば、信号制御装置に対するユーザ端末の収容替え時における通信の切断を防止できる。
【図面の簡単な説明】
【００１９】
【図１】通信システムのネットワーク構成を示す図である。
【図２】第１の実施の形態に係る信号制御装置管理装置の機能ブロック構成を示す図である。
【図３】第１の実施の形態に係る各信号制御装置の機能ブロック構成を示す図である。
【図４】第１の実施の形態に係る通信システムの処理動作を説明する際の参照図である。
【図５】第１の実施の形態における系の切り替え前後の信号の流れを示す図である。
【図６】第２の実施の形態に係る各信号制御装置の機能ブロック構成を示す図である。
【図７】第２の実施の形態に係る信号制御装置管理装置の機能ブロック構成を示す図である。
【図８】第２の実施の形態に係る通信システムの状態１での処理動作を説明する際の参照図である。
【図９】第２の実施の形態に係る通信システムの状態２での処理動作を説明する際の参照図である。
【図１０】第２の実施の形態に係る通信システムの状態３での処理動作を説明する際の参照図である。
【図１１】第２の実施の形態に係る通信システムの状態４での処理動作を説明する際の参照図である。
【図１２】第２の実施の形態に係る通信システムの状態５での処理動作を説明する際の参照図である。
【図１３】従来の通信システムのネットワーク構成例を示す図である。
【図１４】ユーザ端末の収容先変更時の動作を説明する際の参照図である。
【図１５】ユーザ端末の収容先変更時の動作を説明する際の参照図である。
【図１６】収容先変更時の課題を説明する際の参照図である。
【発明を実施するための形態】
【００２０】
以下、本発明を実施する一実施の形態について図面を用いて説明する。
【００２１】
〔第１の実施の形態〕
図１は、第１の実施の形態に係る通信システムのネットワーク構成を示す図である。この通信システムは、図１３に示した従来のネットワーク構成に対し、信号制御装置１を管理するための信号制御装置管理装置５を更に備えて構成される。
【００２２】
図２は、本実施の形態に係る信号制御装置管理装置５の機能ブロック構成を示す図である。信号制御装置管理装置５は、ユーザ端末の加入者情報を記憶する加入者情報記憶部５１と、その加入者情報を信号制御装置１に投入する加入者情報設定部５２と、信号制御装置１の運用系／非運用系を切り替える系切替部５３と、加入者情報の設定処理や系切り替えの制御処理を行うための画面を提供するＧＵＩ部５４と、を備えて構成される。信号制御装置管理装置５は、全ての信号制御装置１ａ，１ｂに通信可能に接続され、通信システムの管理者や保守者により操作される。
【００２３】
図３は、本実施の形態に係る信号制御装置１ａと信号制御装置１ｂの機能ブロック構成を示す図である。これら全ての機能部を１つの信号制御装置に実装しても構わない。
【００２４】
信号制御装置１ａは、信号の通信制御に必要なリソース情報（通信中記録を含む）を記憶するリソース情報記憶部１１ａと、リソース情報を用いてユーザ端末７からの信号を処理する信号処理部１２ａと、自装置が記憶するリソース情報を他の信号制御装置１ｂへ転送するリソース情報転送部１３ａと、信号制御装置管理装置５から投入された系切り替え信号に基づき自装置を運用系又は非運用系に切り替える系切替実行部１４ａと、を備えて構成される。
【００２５】
信号制御装置１ｂは、信号制御装置に対するユーザ端末の帰属関係を定めた帰属関係情報を記憶する帰属関係情報記憶部１１ｂと、信号制御装置管理装置５から投入された加入者情報（帰属関係情報を含む）を帰属関係情報記憶部１１ｂに登録する加入者情報登録部１２ｂと、その加入者情報内の帰属関係情報からＩＰアドレスを取得し、自装置内の新たなインタフェースに割り当てるＩＰアドレス割当部１３ｂと、そのＩＰアドレスへの信号を当該割り当てたインタフェースへ送信する命令をネットワーク機器３に通知する送信先変更命令部１４ｂと、他の信号制御装置１ａから転送されたリソース情報を受信するリソース情報受信部１５ｂと、受信したリソース情報や自装置で記録しているリソース情報を記憶するリソース情報記憶部１６ｂと、そのリソース情報を用いてユーザ端末７からの信号を処理する信号処理部１７ｂと、信号制御装置管理装置５から投入された系切り替え信号に基づき自装置を運用系又は非運用系に切り替える系切替実行部１８ｂと、を備えて構成される。
【００２６】
ネットワーク機器３やユーザ端末７は既存のものを用いて実現する。ネットワーク機器３としては、例えば、スイッチングハブ、レイヤ２スイッチ、ルータ等を利用する。ＡＲＰ（Address Resolution Protocol）テーブルと称される転送テーブルを備えており、自機器に接続された装置のＩＰアドレスとＭＡＣアドレスとを紐付けて管理する。ユーザ端末７から信号を受信した場合、その信号パケット内の宛先ＩＰアドレスに対応するＭＡＣアドレスを持つインタフェースの装置へ送信する。
【００２７】
ユーザ端末７としては、例えば、携帯電話、スマートフォン端末、タブレット端末、パソコン等を利用する。本実施の形態で処理する信号種別として例えばＳＩＰ信号が考えられる。その場合、信号制御装置１はＳＩＰ信号を制御する呼処理サーバとなる。
【００２８】
次に、本通信システムの動作を説明する。図４は、本実施の形態に係る通信システムの処理動作を説明する際の参照図である。ここでは、通信システムの運用系を信号制御装置１ａから信号制御装置１ｂに切り替える処理動作例を説明する。信号制御装置１ａは１つのインタフェースを備え、「Ｘ．Ｘ．Ｘ．Ｘ」のＩＰアドレスが割り当てられている。また、信号制御装置１ｂも１つのインタフェース＃１を備え、「Ｙ．Ｙ．Ｙ．Ｙ」のＩＰアドレスが割り当てられている。さらに、信号制御装置１ｂは、信号制御装置１ａで行われたユーザ端末７ａの通信中記録を保持していない。なお、系の切り替え処理を伴うことなく単に端末収容先を切り替える場合（例えば、信号制御装置１ａ，１ｂがいずれも運用系であり、複数の端末のうち一部の端末のみ収容先を変更する場合）でも基本的に同様の処理動作が可能である。
【００２９】
まず、ステップＳ１０１において、信号制御装置管理装置５は、管理者の操作に基づき、信号制御装置１ａが収容しているユーザ端末７ａ，７ｂの加入者情報を加入者情報記憶部５１から読み出して信号制御装置１ｂに送信する。ここで加入者情報とは、加入者であるユーザに関する任意の情報である。例えば、加入者ユーザ名、住所、電話番号等であり、帰属関係情報も含まれる。
【００３０】
次に、ステップＳ１０２において、信号制御装置１ｂは、投入された加入者情報から帰属関係情報を取得して自身の帰属関係情報に追加登録し、追加した帰属関係情報からＩＰアドレスを取得する。そして、自装置内でネットワーク機器３に接続されている複数のインタフェースからアドレス未割当のインタフェース＃２を確保し、その新たなインタフェース＃２に対して上記取得したＩＰアドレスを割り当てる。ここでは、信号制御装置１ａのＩＰアドレス「Ｘ．Ｘ．Ｘ．Ｘ」がインタフェース＃２に割り当てられる。
【００３１】
次に、ステップＳ１０３において、信号制御装置１ａは、収容していたユーザ端末７ａ，７ｂに係るリソース情報をリソース情報記憶部１１ａから読み出して、信号制御装置１ｂに転送する。その後、転送されたリソース情報は、移行元リソース情報として信号制御装置１ｂのリソース情報記憶部１６ｂに保存される。ここでリソース情報とは、通信に必要な任意の情報である。例えば、通信を行ったユーザ端末のＩＤ、電話番号、住所、通話履歴、通信履歴等であり、通信中の記録情報も含まれる。特に通信中記録には、例えばＩＮＶＩＴＥ等の信号種別や受信時刻、シーケンス番号等が含まれる。
【００３２】
次に、ステップＳ１０４において、信号制御装置管理装置５は、非運用系に変更するための系切り替え信号を信号制御装置１ａへ送信するとともに、運用系に変更するための系切り替え信号を信号制御装置１ｂへ送信する。これにより、通信システム内の信号制御処理が信号制御装置１ｂで開始される。なお、上述した単に端末収容先を切り替える場合は、信号制御装置１ａ，１ｂは共に運用系（又は信号制御装置１ａのみ非運用系）であるため、系切り替え信号に代えて、ユーザ端末の収容先を切り替えるための信号を各信号制御装置１ａ，１ｂに送信する。その信号には対象のユーザ端末のＩＤ等を含むようにしても良い。
【００３３】
次に、ステップＳ１０５において、信号制御装置１ｂは、ＡＲＰテーブルのキャッシュデータを更新するための命令をネットワーク機器３へ送信する。例えば、ＲＦＣ５２２７（https://tools.ietf.org/html/rfc5227）で規定されたＧｒａｔｕｉｔｏｕｓＡＲＰのパケットを送信することにより、ネットワーク機器３のＡＲＰテーブルを更新させる。
【００３４】
ここで、ステップＳ１０２において信号制御装置１ｂのインタフェース＃２には信号制御装置１ａのＩＰアドレス「Ｘ．Ｘ．Ｘ．Ｘ」が割り当てられたため、ネットワーク機器３は当該ＩＰアドレスへの信号を当該インタフェース＃２に送信することになる。これにより、ユーザ端末７ａ，７ｂからの信号は、接続先のＩＰアドレスを「Ｘ．Ｘ．Ｘ．Ｘ」から「Ｙ．Ｙ．Ｙ．Ｙ」に変更せずとも、新たな収容先の信号制御装置１ｂに送信される。
【００３５】
その後、ステップＳ１０６において、信号制御装置１ｂは、通信中のユーザ端末７ａからＲｅ−ＩＮＶＩＴＥ等の継続信号を受信した場合、リソース情報記憶部１６ｂから移行元リソース情報を読み出し、その移行元リソース情報を用いて通信中呼や信号を継続させる。ユーザ端末７ａにおける通信中信号のリソース情報を保持しているため、系切り替え時において通信の切断を防止できる。系切り替え前後の信号の流れを図５に示す。
【００３６】
以上より本実施の形態によれば、信号制御装置１ａは、収容中のユーザ端末７ａから送信された信号を処理し、その信号を通信制御するためのリソース情報を信号制御装置１ｂに転送する。一方、信号制御装置１ｂは、信号制御装置１ａから転送されたリソース情報を受信し、ユーザ端末７ａから通信中の継続信号が送信された場合、転送されたリソース情報を用いて処理する。これにより、信号制御装置に対するユーザ端末の収容替え時における通信の切断を防止できる。
【００３７】
〔第２の実施の形態〕
続いて、第２の実施の形態を説明する。第２の実施の形態に係る通信システムのネットワーク構成は、図１に示した第１の実施の形態と同様である。
【００３８】
図６は、本実施の形態に係る信号制御装置１ａと信号制御装置１ｂの機能ブロック構成を示す図である。
【００３９】
信号制御装置１ａは、第１の実施の形態で説明した符号１１ａ〜１４ａの各機能部に加えて、ユーザ端末７ａ，７ｂからの信号を処理する信号処理部２１ａと、処理した信号に関する情報をリソース情報として記憶するリソース情報記憶部２２ａと、自装置が記憶するリソース情報を信号制御装置管理装置５に送信するリソース情報送信部２３ａと、系切り替え中（収容先切り替え中と概ね同義）に受信した信号を系切り替え先の信号制御装置１ｂに送信する信号送信部２４ａと、を更に備えて構成される。
【００４０】
信号制御装置１ｂは、第１の実施の形態で説明した符号１１ｂ〜１８ｂの各機能部に加えて、信号制御装置管理装置５から転送されたリソース情報を受信するリソース情報受信部２１ｂと、受信したリソース情報や自装置で記録しているリソース情報を記憶するリソース情報記憶部２２ｂと、そのリソース情報を用いて信号を処理する信号処理部２３ｂと、信号制御装置１ａと同じ機能を持つ仮想信号制御装置１ａ’を生成する仮想信号制御装置生成部２４ｂと、を更に備えて構成される。
【００４１】
図７は、本実施の形態に係る信号制御装置管理装置５の機能ブロック構成を示す図である。信号制御装置管理装置５は、第１の実施の形態で説明した符号５１〜５４の各機能部に加えて、信号制御装置１ａからのリソース情報を受信するリソース情報受信部６１と、そのリソース情報を信号制御装置１ｂに転送するリソース情報転送部６２と、を更に備えて構成される。
【００４２】
次に、本通信システムの動作を説明する。図８〜図１２は、本実施の形態に係る通信システムの処理動作を説明する際の参照図である。ここでも、通信システムの運用系を信号制御装置１ａから信号制御装置１ｂに切り替える処理動作例を説明する。
【００４３】
（状態１：リソース情報転送前の新規信号受信時）
まず、上記状態１の場合の動作を説明する。ステップＳ２０１において、信号制御装置１ａの信号処理部２１ａは、収容しているユーザ端末７ａから新規信号を受信すると、その信号に関するリソース情報（通信中記録を含む）をリソース情報記憶部２２ａに格納し、自装置内で折り返して着信先のユーザ端末７ｄに転送する。これにより、両端末間で発着の通信呼が確立する。
【００４４】
（状態２：リソース情報が移行先に登録され、かつ、系切替前）
次に、上記状態２の場合の動作を説明する。状態２の場合、２つの信号制御装置１ａ，１ｂを経由して発着の通信呼を確立する。まず、ステップＳ２０２において、信号制御装置１ａのリソース情報送信部２３ａは、信号制御装置管理装置５からの要求に基づき新規信号に関するリソース情報を送信する。このとき信号制御装置１ａは、自装置の状態を、ユーザ端末から信号を受信するが中継して出力することを示す「端末入中継出」状態として管理する。
【００４５】
その後、信号制御装置管理装置５は、信号制御装置１ａから取得したリソース情報を信号制御装置１ｂに転送する。そして、信号制御装置１ｂのリソース情報受信部２１ｂは、信号制御装置管理装置５から転送されたリソース情報を移行元リソース情報としてリソース情報記憶部２２ｂに格納する。このとき信号制御装置１ｂは、自装置の状態を、中継された信号を入力することを示す「中継入」状態として管理する。
【００４６】
続いて、ステップＳ２０３において、ユーザ端末７ａから継続信号が信号制御装置１ａに送信されると、信号制御装置１ａの信号処理部２１ａは、その継続信号を受信して自装置の状態を確認する。ここで自装置は「端末入中継出」状態のため、信号送信部２４ａは、受信した継続信号を信号制御装置１ｂに送信する。その後、信号制御装置１ｂの信号処理部２３ｂは、継続信号を受信し、着信先のユーザ端末７ｄに送信する。なお、系切り替え前における信号制御装置１ｂの当該処理は通常の処理である。すなわち、系切り替え前は、信号制御装置１ｂに保持されていた移行先リソース情報を参照し、信号制御装置１ａから通常の信号が送信されたと判断して処理を行う。なお、他の装置からの信号を処理している状態を「中継入」の状態という。
【００４７】
（状態３：系切替時、系切替後）
次に、上記状態３の場合の動作を説明する。上記状態２の場合、２つの信号制御装置１ａ，１ｂを経由して発着の通信呼を確立させていた。しかし、処理系が切り替わると、ユーザ端末７ａからの信号は運用系の信号制御装置１ｂに送信されるため、非運用系の信号制御装置１ａは使用できない。そこで、運用系の信号制御装置１ｂの内部に信号制御装置１ａと同じ機能を持たせ、信号制御装置１ｂ上で通信呼を確立させる。
【００４８】
まず、ステップＳ２０４において、信号制御装置１ｂの仮想信号制御装置生成部２４ｂは、移行元リソース情報から信号制御装置１ａと同じ機能を持つ仮想信号制御装置１ａ’を自装置内に生成する。信号制御装置の機能は各信号制御装置で共通するため、自身の信号制御装置１ｂの機能を参照して仮想信号制御装置１ａ’を生成する。また、信号制御装置１ｂは、アドレス未割当のインタフェース＃２を確保して信号制御装置１ａのＩＰアドレスを割り当て、そのインタフェース＃２を仮想信号制御装置１ａ’用とする。なお、信号制御装置１ａのＩＰアドレスは、第１の実施の形態と同様に信号制御装置管理装置５から投入される。
【００４９】
次に、ステップＳ２０５において、信号制御装置１ｂは、ＡＲＰテーブルのキャッシュデータを更新するための命令をネットワーク機器３へ送信する。仮想信号制御装置１ａ’のインタフェース＃２には信号制御装置１ａのＩＰアドレスが割り当てられているため、ネットワーク機器３は当該ＩＰアドレスへの信号を当該インタフェース＃２に送信することになる。
【００５０】
続いて、ステップＳ２０６において、ユーザ端末７ａから継続信号が送信されると、ネットワーク機器３により信号制御装置１ｂのインタフェース＃２に送信され、仮想信号制御装置１ａ’で受信する。仮想信号制御装置１ａ’は、信号制御装置１ａと同様に「端末入中継出」状態のため、ネットワーク機器３を介して継続信号を信号制御装置１ｂに転送する。その後、信号制御装置１ｂの信号処理部２３ｂは、継続信号を受信し、着信先のユーザ端末７ｄに送信する。
【００５１】
（状態４：切断時）
次に、上記状態４の場合の動作を説明する。まず、ステップＳ２０７において、通信中呼の着端末であるユーザ端末７ｄから切断信号が送信されると、その接続先ＩＰアドレスは「Ｙ．Ｙ．Ｙ．Ｙ」のため、信号制御装置１ｂのインタフェース＃１に送信される。
【００５２】
次に、ステップＳ２０８において、信号制御装置１ｂの信号処理部２３ｂは、自装置の状態が「中継入」状態のため、ネットワーク機器３を介して切断信号を仮想信号制御装置１ａ’に送信する。その後、ステップＳ２０９において、仮想信号制御装置１ａ’は、インタフェース＃２を通じて切断信号を受信し、発端末であるユーザ端末７ａに送信する。
【００５３】
（状態５：通話中呼終話後の新規呼受信時）
最後に、上記状態５の場合の動作を説明する。この動作は上記状態１と同様である。すなわち、ステップＳ２１０において、信号制御装置１ｂの信号処理部２３ｂは、収容しているユーザ端末７ｄから新規信号を受信すると、その信号に関するリソース情報をリソース情報記憶部２２ｂに格納し、自装置内で折り返して着信先のユーザ端末７ａに送信する。これにより、両端末間で発着の通信呼が確立する。
【００５４】
以上より本実施の形態によれば、信号制御装置１ａは、収容中のユーザ端末７ａから送信された信号を処理し、その信号を通信制御するためのリソース情報を信号制御装置１ｂに転送し、ユーザ端末７ａから通信中の継続信号が送信された場合は信号制御装置１ｂに送信する。一方、信号制御装置１ｂは、信号制御装置１ａから転送されたリソース情報を受信し、上記通信中の継続信号が送信された場合、転送されたリソース情報を用いて処理する。これにより、信号制御装置に対するユーザ端末の収容替え時における通信の切断を防止できる。
【００５５】
また、本実施の形態によれば、信号制御装置１ｂは、信号制御装置１ａと同じ機能を持つ仮想信号制御装置１ａ’を自装置内に生成し、仮想信号制御装置１ａ’は、ユーザ端末７ａから通信中の継続信号が送信された場合、信号制御装置１ｂの信号処理部２３ｂに送信するので、信号制御装置に対するユーザ端末の収容替え時における通信の切断を防止できる。
【００５６】
なお、本実施の形態で説明した信号制御装置１ａ，１ｂを、信頼性を高めるために構成された二重化やＡＣＴ−ＳＢＹ構成の通信システムに適用することも可能である。また、信号制御装置１ａ，１ｂをプログラムとして構築し、コンピュータにインストールして実行させることや、通信ネットワークを介して流通させることも可能である。
【符号の説明】
【００５７】
１ａ…信号制御装置
１１ａ，２２ａ…リソース情報記憶部
１２ａ，２１ａ…信号処理部
１３ａ…リソース情報転送部
１４ａ…系切替実行部
２３ａ…リソース情報送信部
２４ａ…信号送信部
１ｂ…信号制御装置
１１ｂ…帰属関係情報記憶部
１２ｂ…加入者情報登録部
１３ｂ…ＩＰアドレス割当部
１４ｂ…送信先変更命令部
１５ｂ，２１ｂ…リソース情報受信部
１６ｂ，２２ｂ…リソース情報記憶部
１７ｂ，２３ｂ…信号処理部
１８ｂ…系切替実行部
２４ｂ…仮想信号制御装置生成部
１ａ’ …仮想信号制御装置
３…ネットワーク機器
５…信号制御装置管理装置
５１…加入者情報記憶部
５２…加入者情報設定部
５３…系切替部
５４…ＧＵＩ部
６１…リソース情報受信部
６２…リソース情報転送部
７ａ〜７ｄ…ユーザ端末
Ｓ１０１〜Ｓ１０６，Ｓ２０１〜Ｓ２１０…ステップ
【図１】
0006282967.tif 000002
【図２】
0006282967.tif 000003
【図３】
0006282967.tif 000004
【図４】
0006282967.tif 000005
【図５】
0006282967.tif 000006
【図６】
0006282967.tif 000007
【図７】
0006282967.tif 000008
【図８】
0006282967.tif 000009
【図９】
0006282967.tif 000010
【図１０】
0006282967.tif 000011
【図１１】
0006282967.tif 000012
【図１２】
0006282967.tif 000013
【図１３】
0006282967.tif 000014
【図１４】
0006282967.tif 000015
【図１５】
0006282967.tif 000016
【図１６】
0006282967.tif 000017